(57)【要約】本開示は、ウェブサイトデータ収集を最適化する、電子商取引ウェブサイト情報を収集するための方法、装置、およびシステムを記載する。開示される方法は、製品ＩＤおよびＵＲＬを含む製品情報要求メッセージを、クライアントからサーバを介して受信することと、そのＵＲＬに対応するウェブページに通信可能に接続することと、製品ＩＤについてウェブページをスキャンすることと、製品ＩＤに関連する情報を収集することと、収集した情報をクライアントへ伝送すること、を含む。このようにして、ウェブページデータ収集が著しく単純化され、データ収集が最適化される。本開示は、ウェブサイトサーバおよび電子商取引システムも開示する。
2013517555.tif 000002
【特許請求の範囲】
【請求項１】
ウェブサイト情報を収集する方法であって、
クライアントからサーバによって、製品識別子（ＩＤ）およびユニフォームリソースロケータ（ＵＲＬ）を含む製品情報要求メッセージを受信することと、
前記ＵＲＬに対応するウェブページに通信可能に接続することと、
前記製品ＩＤについて前記ウェブページをスキャンすることと、
前記製品ＩＤに関連する情報を収集することと、
前記収集した情報を前記クライアントへ伝送することと
を含む、方法。
【請求項２】
前記製品情報要求メッセージを受信する前に、前記サーバは、クライアントの身元の確認を実行する、請求項１に記載の方法。
【請求項３】
前記製品ＩＤについて前記ウェブページをスキャンすることは、前記ウェブページの内容、および前記製品に対応する前記ウェブページの指定された領域をスキャンすることを含む、請求項１に記載の方法。
【請求項４】
前記製品ＩＤに関連する情報を収集することは、
前記収集した情報を、各情報片のそれぞれのアップロード時間に従って整理することと、
それぞれのアップロード時間が所定の時間より後である情報を除外することと、
を含む、請求項１に記載の方法。
【請求項５】
前記製品ＩＤに関連する情報を収集することは、前記収集した情報と、前記クライアントへ以前に提供された情報とを比較し、前記収集した情報から重複する情報を除外することを含む、請求項１に記載の方法。
【請求項６】
クライアントから、製品識別子（ＩＤ）およびユニフォームリソースロケータ（ＵＲＬ）を含む製品情報要求メッセージを受信する、受信ユニットと、
前記ＵＲＬに対応するウェブページに通信可能に接続し、かつ前記製品ＩＤについて前記ウェブページをスキャンする、スキャンユニットと、
前記製品ＩＤに関連する情報を収集する収集ユニットと、
前記収集した情報を前記クライアントへ伝送する伝送ユニットと
を備える、ウェブサイトサーバ。
【請求項７】
クライアントの身元の確認を実行する確認ユニットをさらに備える、請求項６に記載のウェブサイトサーバ。
【請求項８】
前記スキャンユニットは、前記製品ＩＤに基づいて前記ウェブページをスキャンするときに、前記製品ＩＤに関連する前記ウェブページの指定された場所をスキャンする、請求項６に記載のウェブサイトサーバ。
【請求項９】
前記製品ＩＤに関連する前記情報を収集した後、前記収集ユニットは、前記収集した情報片を、各収集した情報片のそれぞれのアップロード時間に従って整理し、それぞれのアップロード時間が所定の時間より後である情報片を除外し、除外処理した情報を前記クライアントへ提供する、請求項７に記載のウェブサイトサーバ。
【請求項１０】
前記製品ＩＤに関連する前記情報を収集した後、前記収集ユニットは、前記収集した情報を前記クライアントへ以前に提供された情報と比較し、前記収集した情報から重複する情報を除外し、除外処理した情報を前記クライアントへ提供する、請求項７に記載のウェブサイトサーバ。
【請求項１１】
ウェブサイト情報を配信する方法であって、
製品識別子（ＩＤ）およびユニフォームリソースロケータ（ＵＲＬ）を含む製品情報要求メッセージを、前記製品情報要求メッセージに基づいて、前記ＵＲＬに対応するウェブページへ通信可能に接続して、前記ウェブページから前記製品ＩＤに関連する情報を収集する、第１のウェブサーバへ送信することと、
前記第１のウェブサーバから前記収集した情報を受信することと、
前記収集した情報を第２のウェブサイトサーバへ送信し、前記収集した情報を配信することと
を含む、方法。
【請求項１２】
前記収集した情報を前記第２のウェブサイトサーバへ送信し、前記収集した情報を配信することは、
前記製品ＩＤに関連する１つまたはそれ以上のウェブページを、前記第２のウェブサイトサーバ上で決定することと、
前記収集した情報を、前記製品ＩＤに関連する前記１つまたはそれ以上のウェブエージ上に配信することと、
を含む、請求項１１に記載の方法。
【請求項１３】
前記製品ＩＤは、１つまたはそれ以上の製品識別子を含む、請求項１１に記載の方法。
【請求項１４】
製品識別子（ＩＤ）およびユニフォームリソースロケータ（ＵＲＬ）を含む製品情報要求メッセージを第１のウェブサイトサーバへ送信し、前記第１のウェブサイトサーバを、前記ＵＲＬに対応するウェブページへ通信可能に接続させて、前記製品ＩＤに関連する情報を収集する、伝送ユニットと、
前記第１のウェブサイトサーバから前記収集した情報を受信する、受信ユニットと、
前記収集した情報を配信する第２のウェブサイトサーバへ、前記収集した情報を送信する、配信ユニットと
を備える、ネットワークデバイス。
【請求項１５】
前記配信ユニットは、前記製品ＩＤに関連する１つまたはそれ以上のウェブページを前記第２のウェブサイトサーバ上で決定し、前記製品ＩＤに関連する前記１つまたはそれ以上のウェブページ上に、前記収集した情報が配信されるようにする、請求項１４に記載のネットワークデバイス。
【発明の詳細な説明】
【技術分野】
【０００１】
本発明は、コンピュータ分野に関し、より具体的には、電子商取引ウェブサイト情報を収集するための方法、装置、およびシステムに関する。
【背景技術】
【０００２】
関連特許出願の相互参照
本出願は、２０１０年１月１３日に出願された「Ｍｅｔｈｏｄ，Ａｐｐａｒａｔｕｓ  ａｎｄ  Ｓｙｓｔｅｍ  ｆｏｒ  Ｇａｔｈｅｒｉｎｇ  Ｅ−Ｃｏｍｍｅｒｃｅ  Ｗｅｂｓｉｔｅ  Ｉｎｆｏｒｍａｔｉｏｎ」と題する中国特許第２０１０１０００３４１１．８号の優先権を主張するものであり、その全体が、参照により本明細書に組み込まれる。
【０００３】
電子商取引技術の発展に伴い、多様な種類の電子商取引ウェブサイトが作られてきている。それに対応して、ネットワークユーザの数も増加している。このことは、これらのネットワークユーザと電子商取引ウェブサイトとの間の代理関係を示している。電子商取引ウェブサイトは、ユーザに販売する製品を表示する。ユーザは多くの場合、製品の名称、画像、および仕様等の最新の製品情報を入手するために、電子商取引ウェブサイトを訪れる。製品に関連する情報を収集した後、ユーザは、その情報を他の電子商取引ウェブサイトに配信することができる。
【０００４】
既存技術では、ユーザは通常、製品情報を１つまたはそれ以上のウェブページから１つずつダウンロードする。これは、仮にウェブページ全体を直接にコピーすると、情報が混乱することがあるためである。その結果、製品の名称、画像、および簡単な説明は、お互いに対応しないことがある。しかしながら、商取引量が増加するにつれ、１つずつダウンロードすることは、時間および労力の無駄となる場合がある。さらに、ネットワークユーザはしばしば重複してダウンロードする。したがって、このことは情報収集の効率および精度を低減し、ユーザに対して多大な不便さを生み出す。
【発明の概要】
【０００５】
本開示は、ウェブサイトデータ収集を最適化するために使用される、電子商取引ウェブサイト情報を収集するための方法、装置、およびシステムの、例示的実装を提供する。
【０００６】
１つの態様によると、ウェブサイト情報を収集するための方法は、製品ＩＤおよびＵＲＬを含む製品情報要求メッセージをクライアントからサーバによって受信することと、ＵＲＬに対応するウェブページに通信可能に接続することと、製品ＩＤについてウェブページをスキャンすることと、製品ＩＤに関連する情報を収集することと、収集した情報をクライアントに伝送することと、を含むことができる。
【０００７】
１つの実施形態において、サーバは、製品情報要求メッセージの受信に先立って、クライアントの身元の確認を実行してもよい。
【０００８】
１つの実施形態において、製品ＩＤについてウェブページをスキャンすることは、ウェブページの内容、およびその製品に対応するウェブページの指定された領域をスキャンすることを含んでもよい。
【０００９】
１つの実施形態において、製品ＩＤに関連する情報を収集することは、収集した情報を各情報片のそれぞれのアップロード時間に従って整理すること、および、それぞれのアップロード時間が所定の時間より後である情報を除外することを含んでもよい。
【００１０】
１つの実施形態において、製品ＩＤに関連する情報を収集することは、収集した情報と以前にクライアントに提供した情報とを比較し、重複する情報を収集した情報から除外することを含んでもよい。
【００１１】
別の態様によると、ウェブサイトサーバは、製品ＩＤおよびＵＲＬを含む製品情報要求メッセージをクライアントから受信する受信ユニットと、ＵＲＬに対応するウェブページに通信可能に接続し、製品ＩＤについてウェブページをスキャンするスキャンユニットと、製品ＩＤに関連する情報を収集する収集ユニットと、収集した情報をクライアントへ伝送する伝送ユニットと、を備えてもよい。
【００１２】
１つの実施形態において、ウェブサイトサーバはさらに、クライアントの身元の確認を実行する確認ユニットを備えてもよい。製品ＩＤに関連する情報を収集した後、収集ユニットは、収集した情報片のそれぞれのアップロード時間に従って収集した情報片を整理してもよく、それぞれのアップロード時間が所定の時間より後である情報片を除外し、選別した情報をクライアントへ提供する。別法として、または追加として、製品ＩＤに関連する情報を収集した後、収集ユニットは、収集した情報と以前にクライアントに提供した情報とを比較し、重複する情報を収集した情報から除外し、選別した情報をクライアントへ提供してもよい。
【００１３】
１つの実施形態において、スキャンユニットは、製品ＩＤに基づいてウェブページをスキャンするときに、製品ＩＤに関連するウェブページの指定された領域をスキャンしてもよい。
【００１４】
また別の態様によると、ウェブサイト情報を配信する方法は、製品情報要求メッセージに基づいてＵＲＬに対応するウェブページに通信可能に接続し、かつウェブページから製品ＩＤに関連する情報を収集する、第１のウェブサイトサーバに、製品ＩＤおよびＵＲＬを含む製品情報要求メッセージを送信することと、収集した情報を第１のウェブサーバから受信することと、収集した情報を第２のウェブサイトサーバに送信し、収集した情報を配信することと、を含んでもよい。
【００１５】
１つの実施形態において、収集した情報を第２のウェブサイトサーバへ送信し、収集した情報を配信することは、製品ＩＤに関連する１つまたはそれ以上のウェブページを第２のウェブサイトサーバ上で決定すること、および、製品ＩＤに関連する１つまたはそれ以上のウェブページ上に、収集した情報を配信することを含んでもよい。
【００１６】
１つの実施形態において、製品ＩＤは、１つまたはそれ以上の製品識別子を含んでもよい。
【００１７】
また別の態様によると、ネットワークデバイスは、製品ＩＤおよびＵＲＬを含む製品情報要求メッセージを第１のウェブサイトサーバに送信し、第１のウェブサイトサーバをＵＲＬに対応するウェブページに通信可能に接続させ、製品ＩＤに関連する情報を収集させる、伝送ユニットと、収集した情報を第１のウェブサイトサーバから受信する受信ユニットと、収集した情報を配信する第２のウェブサイトサーバへ、収集した情報を送信する、配信ユニットと、を備えてもよい。
【００１８】
１つの実施形態において、配信ユニットは、製品ＩＤに関連する１つまたはそれ以上のウェブページを第２のウェブサイトサーバ上で決定し、収集した情報を、製品ＩＤに関連する１つまたはそれ以上のウェブページ上に配信させてもよい。
【００１９】
１つの実施形態において、ウェブサイトサーバは、クライアントの製品情報要求メッセージを受信する。ウェブサイトサーバは次に、製品ＩＤについてウェブページをスキャンし、製品ＩＤに関連するウェブサイト情報を収集し、収集した情報をクライアントへ送信する。このようにして、ウェブページデータを集めたものは著しく単純化され、データ収集は最適化される。さらに、この技術は情報をあらかじめ整理することができ、したがって、情報の精度およびウェブサイトサービスの品質を増大する。一方、配信するために第２のウェブサイトサーバに送信されるウェブサイト情報を、第１のウェブサイトサーバが収集することで、収集した情報の配信は最適化される。
【図面の簡単な説明】
【００２０】
【図１】本開示の実施形態に従う第１のネットワーク環境の略図を示す。
【図２】本開示の実施形態に従うウェブサーバ機能モジュールの略図を示す。
【図３】本開示の実施形態に従うウェブページ情報の収集のフローチャートを示す。
【図４】本開示の実施形態に従う第２のネットワーク環境の略図を示す。
【図５】本開示の実施形態に従うクライアント機能モジュールの略図を示す。
【発明を実施するための形態】
【００２１】
ウェブサイト情報の収集における効率性を促進するため、本開示は、製品情報に対するクライアント要求メッセージの受信の例示的実装を提供し、この製品情報要求メッセージは、ウェブサイトサーバがそのＵＲＬに対応する製品ウェブページに通信可能に接続することを可能にする、製品識別子（ＩＤ）およびユニフォームリソースロケータ（ＵＲＬ）を含む。ウェブページは次に、上述の製品ＩＤについてスキャンされる。製品ＩＤに関連するウェブサイト情報は、収集され、クライアントへ送信される。
【００２２】
次の略図は、本開示の例示的実装を説明する。
【００２３】
図１に示されるように、ネットワーク環境は、ウェブサイトサーバ１０およびクライアント１１を含む。
【００２４】
クライアント１１は、ウェブサイトサーバ１０を使用し、製品ＩＤおよびＵＲＬを含む製品情報要求メッセージを受信する。
【００２５】
ウェブサイトサーバ１０は、ＵＲＬに基いて対応する製品ウェブページに通信可能に接続し、上述の製品ＩＤについてウェブページをスキャンし、製品ＩＤに関連するウェブサイト情報を収集し、その情報をクライアント１１へ送信する。
【００２６】
図２に示されるように、ウェブサーバ機能モジュールの実施形態は、ウェブサイトサーバ１０、受信ユニット１００、スキャンユニット１０１、収集ユニット１０２、および伝送ユニット１０３を含む。
【００２７】
受信ユニット１００は、製品ＩＤおよびＵＲＬを含む、クライアントの製品情報要求メッセージを受信するために使用される。
【００２８】
スキャンユニット１０１は、ＵＲＬの対応する製品ウェブページに通信可能に接続またはリンクし、上述の製品ＩＤについてウェブページをスキャンするために使用される。
【００２９】
収集ユニット１０２は、製品ＩＤに関連するウェブサイト情報を収集するために使用される。
【００３０】
伝送ユニット１０３は、収集したウェブサイト情報をクライアントへ送信するために使用される。
【００３１】
上述のネットワーク環境に基づき、以下に詳細な例示的実装を説明する。
【００３２】
図３に示されるように、ウェブサイトサーバ１０がウェブサイト情報を収集する過程を、以下に記載する。
【００３３】
３００において、ウェブサイトサーバ１０は、クライアント１１を電子商取引サービスへログインさせる。
【００３４】
実用的用途に対しては、いくつかのウェブサイトサーバ１０は、完全なウェブサイト情報を提示する前にユーザ確認を要求してもよい。したがって、クライアント１１は、登録して完全なウェブサイト情報を取得するか、あるいはログインせずにウェブサイト情報の一部分のみを取得するかという選択肢を有してもよい。
【００３５】
３１０において、ウェブサイトサーバ１０は、ユーザによって提供されたＵＲＬアドレスを通じてウェブサイトを管理する。
【００３６】
通常、ウェブサイトサーバ１０のネットワークユーザは、製品を管理するための独自の後方支援を有している場合がある。したがって、ネットワークユーザが製品支援ウェブページのＵＲＬアドレスを入力すれば、ネットワークユーザはそのウェブサイトを管理することができる。ウェブページの内容は、以下の表１のようなものであってよい。
【００３７】
【表１】
2013517555.tif 000003
【００３８】
３２０において、ウェブサイトサーバ１０は、製品ＩＤおよびＵＲＬを含むクライアントの製品情報要求メッセージを受信する。
【００３９】
表１に示されるように、製品名は、ウェブリンクフォーム（例えば、ＨＴＭＬリンク）内に設定されることができる。このようにして、ユーザは表１内の製品名をクリックすることができ、それに応じて、ウェブサイトサーバ１０はＵＲＬアドレスおよび製品ＩＤを含む製品情報要求メッセージを受信する。ウェブサイトサーバ１０は、製品ＩＤに関連する最新のウェブサイト情報も収集する。
【００４０】
３３０において、ウェブサイトサーバ１０は、対応する製品ウェブページに通信可能に接続し、上述の製品ＩＤについてウェブページをスキャンする。
【００４１】
実用的用途に対しては、ウェブページは、商品に関連しない大量の情報（ウェブページ名、ウェブページタイトル、ウェブページの紹介、およびそのサイドバー選択部等）を含む場合があるため、ウェブサイトサーバ１０は、関連する情報（例えば、ウェブページの「製品の詳細」部分、ウェブページの「最新の製品の説明」部分等）のみをスキャンすることもできる。
【００４２】
３４０において、ウェブサイトサーバ１０は、製品ＩＤに関連するウェブサイト情報を収集し、それをクライアントへ送信する。
【００４３】
実用的用途に対しては、ウェブサイトサーバ１０は、対応する製品ウェブサイト情報を収集した後に、クライアント１１へ直接にその情報を送信することができ、または収集した情報を送信する前に、まず並べ替えることもできる。情報を並べ替える際に（例えば、製品ＩＤが「ジーンズ」であるとき）、ウェブサイトサーバ１０は、ジーンズに関して関連するウェブサイト情報（例えば、画像や関連する詳細等）を、それぞれのアップロード時間に基づいて整理された情報を伴って収集することができる。特定の期間より古い情報のいずれも、並べ替えた情報をクライアント１１へ送信する前に削除することができる。別法として、ウェブサイトサーバ１０は、クライアントへそれ以前に送信された情報を比較し、重複する任意の情報を削除することができる。
【００４４】
ウェブサイトサーバ１０によって送信された情報を受信した後、クライアント１１は、その情報をクライアント１１のデータベースに保存することができ、または他の電子商取引ウェブサイトに配信のために情報を送信することもできる。具体的には、クライアント１１は、ＵＲＬおよび製品ＩＤを含む製品情報要求メッセージを、第１のウェブサイトサーバへ送信してもよい。第１のウェブサイトサーバは次に、ＵＲＬに対応する１つまたはそれ以上のウェブページに通信可能に接続し、製品ＩＤに関連するウェブサイト情報を収集する。次に、クライアント１１は、第１のウェブサイトサーバから情報を受信し、取得したウェブサイト情報を第２のウェブサイトサーバへ配信のために送信する。
【００４５】
図４に示されるように、電子商取引システムの実施形態は、クライアント１１、第１のウェブサイトサーバ、および第２のウェブサイトサーバを備える。
【００４６】
第１のウェブサイトサーバは、クライアント１１の選好性に基づいてウェブサイト情報を収集するために使用される。
【００４７】
クライアント１１は、ＵＲＬおよび製品ＩＤを含む製品情報要求メッセージを、第１のウェブサイトサーバへ送信する。さらに、クライアント１１は、第１のウェブサーバを使用し、ＵＲＬに対応する１つまたはそれ以上のウェブページに通信可能に接続し、製品ＩＤに関連するウェブサイト情報を収集する。次に、クライアント１１は、第１のウェブサイトサーバから情報を受信し、取得したウェブサイト情報を第２のウェブサイトサーバへ配信のために送信する。
【００４８】
第２のウェブサイトサーバは、クライアント１１の選好性に基づいて収集したウェブサイト情報を配信するために使用される。
【００４９】
図５に示されるように、クライアント１１の実施形態、ネットワークデバイスは、伝送ユニット１１０、受信ユニット１１１、および配信ユニット１１２を備える。
【００５０】
伝送ユニット１１０は、製品ＩＤおよびＵＲＬを含む製品情報要求メッセージを、第１のウェブサイトサーバへ送信する。第１のウェブサイトサーバは、ＵＲＬの対応する製品ウェブページに通信可能に接続し、製品ＩＤに関連するウェブサイト情報を収集する。
【００５１】
受信ユニット１１１は、収集した収集したウェブサイト情報を受信する。
【００５２】
配信ユニット１１２は、ウェブサイト情報を、第２のウェブサイトサーバへ配信のために送信する。
【００５３】
第１のウェブサイトサーバから１つまたはそれ以上の製品ＩＤを収集することにより、クライアントは、多数の製品ＩＤを同時に取得し、また関連する製品情報を第２のウェブサイトサーバで配信することができる。製品ＩＤを与えられると、クライアント１１は、与えられた製品ＩＤに関連する情報を配信できる１つまたはそれ以上のウェブページを、第２のウェブサイトサーバ上で決定する。その後、クライアント１１は、第１のウェブサイトサーバによって収集されたウェブサイト情報が、第２のウェブサイトサーバ上の決定された１つまたはそれ以上のウェブページ上に配信されるようにする。例えば、製品ＩＤが「ジーンズ」である場合、クライアント１１は、第２のウェブサイトサーバ上の、製品ＩＤ「ジーンズ」に関連する情報を配信することができるウェブページを決定する。クライアン１１は次に、第１のウェブサイトサーバによって収集された情報が、第２のウェブサイトサーバ上のこのウェブページ上に配信されるようにする。
【００５４】
１つの実施形態において、ウェブサイトサーバは、クライアントから製品情報要求メッセージを受信する。ウェブサイトサーバは次に、製品ＩＤについてウェブページをスキャンし、製品ＩＤに関連するウェブサイト情報を収集し、それをクライアントへ送信する。このようにして、ウェブページデータを集める過程は著しく単純化され、データ収集は最適化される。さらに、開示する技術は、情報をあらかじめ整理することができ、それにより情報の精度およびウェブサイトサービス品質を増大する。一方、第１のウェブサイトサーバで収集されたウェブサイト情報は、第２のウェブサイトサーバへ配信のために送信され、それによって情報配信の過程を単純化し、最適化し、加速する。
【００５５】
当業者は、本開示の精神および範囲から逸脱することなく、本開示を多くの異なる方法で変更または修正することができる。したがって、本開示は、本開示の特許請求の範囲およびそれらの均等物の範囲内に包含される、全ての修正および変形を網羅することが意図される。
【図１】
2013517555.tif 000004
【図２】
2013517555.tif 000005
【図３】
2013517555.tif 000006
【図４】
2013517555.tif 000007
【図５】
2013517555.tif 000008
【国際調査報告】
2013517555.tif 000009